【手続補正書】
【提出日】令和1年7月10日(2019.7.10)
【手続補正１】
【補正対象書類名】明細書
【補正対象項目名】００２６
【補正方法】変更
【補正の内容】
【００２６】
本明細書では、特定の実施形態を例示して説明したが、当業者は、示した特定の実施形態が、同じ目的を達成するように計画された任意の構成に置き換えられうることを理解するであろう。本出願は、本開示のあらゆる適合形態又は変形形態を包含することを意図している。したがって、本開示は、請求項及びその均等物によってのみ限定されることが、明白に意図されている。以下、本開示の実施形態の一例を挙げる。
［１］
落下イベント検知通信システムであって、
落下防止システムの一部として実現された少なくとも１つの落下検知ノードを含み、
前記少なくとも１つの落下検知ノードは、
落下イベントが生じたことを示す状態に基づいて、作動信号を生成する少なくとも１つの検知要素と、
前記少なくとも１つの検知要素から前記作動信号を受信すると、少なくとも１つの落下検知信号を送信するノード送信機と、を備え、
更に、パーソナル通信デバイスに記憶されたパーソナル通信アプリケーションを含み、
前記パーソナル通信アプリケーションは、前記少なくとも１つの落下検知ノードの前記ノード送信機からの前記落下検知信号について前記パーソナル通信デバイスに監視させ、
更に、前記パーソナル通信アプリケーションは、前記少なくとも１つの落下検知ノードから前記少なくとも１つの落下検知信号を受信することに少なくとも部分的に基づいて、落下イベントが生じたかどうかを前記パーソナル通信デバイスに判断させ、
更にまた、前記パーソナル通信アプリケーションは、落下イベントが生じたと判断されると、前記パーソナル通信デバイスにリモート通信デバイスと通信させる、落下イベント検知通信システム。
［２］
前記少なくとも１つの検知要素は、前記落下防止システムの少なくとも１つの構成要素が選択重量を超える荷重を受けると作動するスイッチである、［１］に記載の落下イベント検知通信システム。
［３］
前記少なくとも１つの検知要素は、スイッチ及びセンサの少なくとも一方である、［１］に記載の落下イベント検知通信システム。
［４］
前記パーソナル通信アプリケーションは、選択時間よりも長い間、前記落下検知信号を連続的に受信した後にのみ、前記パーソナル通信デバイスに前記落下警告メッセージを送信させる、［１］に記載の落下イベント検知通信システム。
［５］
少なくとも１つの落下検知ノードは、選択時間の間、前記少なくとも１つの検知要素から前記作動信号を受信したときにのみ、前記少なくとも１つの落下検知信号を送信する、［１］に記載の落下イベント検知通信システム。
［６］
前記少なくとも１つの落下検知ノードは、
ノードクロックと、
アプリケーションを記憶するノードメモリと、
ノードアプリケーションの命令を実行するノードコントローラであって、前記命令は、前記ノードクロックを使用して前記少なくとも１つの検知要素からの作動信号の時間を計測することを前記ノードコントローラに命令することを含む、ノードコントローラと、
を更に含む、［５］に記載の落下イベント検知通信システム。
［７］
前記パーソナル通信アプリケーションは、２つ以上の落下検知信号が受信された後にのみ、前記パーソナル通信デバイスに前記落下警告メッセージを送信させる、［１］に記載の落下イベント検知通信システム。
［８］
前記落下検知信号は近距離通信信号である、［１］に記載の落下イベント検知通信システム。
［９］
前記パーソナル通信デバイスは、無線電話システムを介して前記リモート通信デバイスと通信する、［１］に記載の落下イベント検知通信システム。
［１０］
落下防止システムにより実現された少なくとも１つの検知要素であって、落下イベントを検知する検知要素と、
前記少なくとも１つの検知要素と通信する送信機であって、前記少なくとも１つの検知要素による落下イベントの前記検知に際して、落下検知信号をパーソナル通信デバイスに送信する送信機と、
を備える落下検知ノード。
［１１］
前記落下防止システムに組み込まれたスイッチである前記少なくとも１つの検知要素であって、前記スイッチは、落下防止ハーネスが選択された重量を超える荷重を受けると作動する、少なくとも１つの検知要素と、
前記スイッチが作動している間、前記落下検知信号を前記パーソナル通信デバイスに連続的に送信する送信機と
を更に備える、［１０］に記載の落下検知ノード。
［１２］
前記スイッチは、ばね仕掛けのスイッチである、［１１］に記載の落下検知ノード。
［１３］
前記送信機に電力供給する電源
を更に備える、［１０］に記載の落下検知ノード。
［１４］
ノードクロックと、
ノードアプリケーションを記憶するノードメモリと、
前記ノードアプリケーションの命令を実行するコントローラであって、前記命令は、前記クロックを使用して前記少なくとも１つの検知要素からの作動信号の時間を計測することを前記ノードコントローラに命令することを含む、コントローラと、
を更に備える、［１０］に記載の落下検知ノード。
［１５］
落下イベントをリモート通信デバイスに通信する方法であって、
落下防止システムに実現された少なくとも１つの落下検知ノードによって、落下イベントが検知されると、落下検知信号を生成することと、
パーソナル通信デバイスによって、前記落下検知信号について前記少なくとも１つの落下検知ノードを監視することと、
前記パーソナル通信デバイスによって、前記少なくとも１つの落下検知ノードからの落下検知信号の検知に少なくとも部分的に基づいて、落下警告メッセージを生成することと
を含む方法。
［１６］
前記少なくとも１つの落下検知ノードにより前記落下防止信号が生成される時間量を追跡することと、
追跡された時間量が選択時間量を超えると、前記落下警告メッセージをリモート通信デバイスに送信することと
を更に含む、［１５］に記載の方法。
［１７］
落下防止システムに実現された少なくとも１つの落下検知ノードによって、落下イベントが検知されると、落下検知信号を生成することは、
前記落下防止システム上の荷重が選択荷重を超えると、前記落下防止システムに組み込まれたばね仕掛けのスイッチを作動させることと、
前記ばね仕掛けのスイッチの前記作動に応答して、前記落下検知信号をパーソナル通信デバイスに送信することと
を更に含む、［１５］に記載の方法。
［１８］
前記落下警告メッセージを送信する前に前記ばね仕掛けの作動スイッチが作動しなければならないように選択時間を設定すること
を更に含む、［１７］に記載の方法。
［１９］
少なくとも２つの検知要素によって、前記落下警告メッセージを送信する前に落下イベントを確認すること
を更に含む、［１５］に記載の方法。
［２０］
前記少なくとも２つの検知要素の少なくとも一方が、前記少なくとも１つの落下検知ノードの一部である、［１９］に記載の方法。
【手続補正２】
【補正対象書類名】特許請求の範囲
【補正対象項目名】全文
【補正方法】変更
【補正の内容】
【特許請求の範囲】
【請求項１】
落下イベント検知通信システムであって、
落下防止システムの一部として実現された少なくとも１つの落下検知ノードを含み、
前記少なくとも１つの落下検知ノードは、
落下イベントが生じたことを示す状態に基づいて、作動信号を生成する少なくとも１つの検知要素と、
前記少なくとも１つの検知要素から前記作動信号を受信すると、少なくとも１つの落下検知信号を送信するノード送信機と、を備え、
更に、パーソナル通信デバイスに記憶されたパーソナル通信アプリケーションを含み、
前記パーソナル通信アプリケーションは、前記少なくとも１つの落下検知ノードの前記ノード送信機からの前記落下検知信号について前記パーソナル通信デバイスに監視させ、
更に、前記パーソナル通信アプリケーションは、前記少なくとも１つの落下検知ノードから前記少なくとも１つの落下検知信号を受信することに少なくとも部分的に基づいて、落下イベントが生じたかどうかを前記パーソナル通信デバイスに判断させ、
更にまた、前記パーソナル通信アプリケーションは、落下イベントが生じたと判断されると、前記パーソナル通信デバイスにリモート通信デバイスと通信させる、落下イベント検知通信システム。
【請求項２】
前記少なくとも１つの検知要素は、前記落下防止システムの少なくとも１つの構成要素が選択重量を超える荷重を受けると作動するスイッチである、請求項１に記載の落下イベント検知通信システム。
【請求項３】
前記パーソナル通信アプリケーションは、選択時間よりも長い間、前記落下検知信号を連続的に受信した後にのみ、前記パーソナル通信デバイスに前記落下警告メッセージを送信させる、請求項１に記載の落下イベント検知通信システム。
【請求項４】
少なくとも１つの落下検知ノードは、選択時間の間、前記少なくとも１つの検知要素から前記作動信号を受信したときにのみ、前記少なくとも１つの落下検知信号を送信する、請求項１に記載の落下イベント検知通信システム。
【請求項５】
落下防止システムにより実現された少なくとも１つの検知要素であって、落下イベントを検知する検知要素と、
前記少なくとも１つの検知要素と通信する送信機であって、前記少なくとも１つの検知要素による落下イベントの前記検知に際して、落下検知信号をパーソナル通信デバイスに送信する送信機と、
を備える落下検知ノード。
【請求項６】
前記落下防止システムに組み込まれたスイッチである前記少なくとも１つの検知要素であって、前記スイッチは、落下防止ハーネスが選択された重量を超える荷重を受けると作動する、少なくとも１つの検知要素と、
前記スイッチが作動している間、前記落下検知信号を前記パーソナル通信デバイスに連続的に送信する送信機と
を更に備える、請求項５に記載の落下検知ノード。
【請求項７】
落下イベントをリモート通信デバイスに通信する方法であって、
落下防止システムに実現された少なくとも１つの落下検知ノードによって、落下イベントが検知されると、落下検知信号を生成することと、
パーソナル通信デバイスによって、前記落下検知信号について前記少なくとも１つの落下検知ノードを監視することと、
前記パーソナル通信デバイスによって、前記少なくとも１つの落下検知ノードからの落下検知信号の検知に少なくとも部分的に基づいて、落下警告メッセージを生成することと
を含む方法。